(57)【要約】【課題】  液体を収容する瓶あるいは缶状の容器において、その容体部、蓋部、あるいは底部に発光体を取り付け、暗い所でも内容物を認識できかつ趣のある反射光を発生させる。【解決手段】  蓋部（１０Ｅ）の開放側に第1の穴部（１１ａ）を設け、第1の穴部（１１ａ）の反開放側端部に第1の穴部（１１ａ）より小径の第２の穴部（１１ｂ）を蓋部（１０Ｅ）の閉塞側に向かって形成し、第２の穴部（１１ｂ）に発光体（２０）を取付け、第２の穴部（１１ｂ）の開放側端部に透光性材料で形成された平板部（１１ｅ）を取付け、その平板部（１１ｅ）を透して容体部（４Ａ）に入光され、前記容体部（４Ａ）の筒部（４Ａａ）の適宜の個所に光反射機能を有するシール（Ｍ１、Ｍ２）を貼着し、容体部（４Ａ）の下方に椀状の皿部（２５）を着脱自在に設け、皿部（２５）の底面に光反射機能を有する部位（２６）を設ける。【選択図】図１
2011051658.tif 000002
【特許請求の範囲】
【請求項１】
液体（Ｗ）を収容する透光性材料で形成された容体部（４Ａ）とその蓋部（１０Ｅ）とで構成される瓶状の容器（３Ｅ）の改良において、前記蓋部（１０Ｅ）の開放側には容体部（４Ａ）と螺合または嵌合する第1の穴部（１１ａ）が設けられ、第1の穴部（１１ａ）の反開放側端部に第1の穴部（１１ａ）より小径の第２の穴部（１１ｂ）が蓋部（１０Ｅ）の閉塞側に向かって形成され、第２の穴部（１１ｂ）に発光体（２０）が取付けられ、第２の穴部（１１ｂ）の開放側端部に透光性材料で形成された平板部（１１ｅ）が取付けられ、その平板部（１１ｅ）を透して容体部（４Ａ）に入光されており、前記容体部（４Ａ）の筒部（４Ａａ）の適宜の個所に光反射機能を有するシール（Ｍ１、Ｍ２）が貼着され、容体部（４Ａ）の下方に椀状の皿部（２５）が着脱自在に設けられ、皿部（２５）の底面に光反射機能を有する部位（２６）が設けられていることを特徴とする容器の改良。
【請求項２】
液体（Ｗ）を収容する透光性材料で形成された容体部（４Ａ）とその蓋部（１０Ｆ）とで構成される瓶状の容器（３Ｆ）の改良において、前記蓋部（１０Ｆ）は容体部（４Ａ）の上部に螺合または嵌合され、蓋部（１０Ｆ）の頂部（１１Ｆ）には光ファイバーが挿入されたストロー（Ｓｆ）が着脱自在に取付けられており、透光性材料で形成された容体部（４Ａ）の底部に容体部（４Ａ）よりも透光性の大きな透光性材料で形成された第１の平板部（３１）が設けられ、前記容体部（４Ａ）の下方に椀状の皿部（２５Ａ）が着脱自在に設けられ、皿部（２５Ａ）の底部に第１の平板部（３１）に対応する位置に凹部（２７）が形成され、凹部（２７）の上部に第１の平板部（３１）と同等の透光性を有する第２の平板部（２８）が設けられ、凹部（２７）の内部に発光体（２０）が取付けられ第２、第１の平板部（２８、３１）を透して容体部（４Ａ）内に入光していることを特徴とする容器の改良。
【請求項３】
液体（Ｗ）を収容する透光性材料で形成された容体部（４Ｂ）とその蓋部（１）とで構成される瓶状の容器（３Ｇ）の改良において、前記蓋部（１）は透光性材料で形成されて容体部（４Ｂ）の上部に螺着されており、そして容体部（４Ｂ）には透光性材料で形成された筒状体（２８）が取付けられ、筒状体（２８）の端部には軸直角方向に端部が封じられた筒部（３１）が取付けられ、筒部（３１）の内部に発光体（２０）が取付けられ、筒部（３１）の筒状体（２８）側に偏光性を有する偏光板（３４）が取付けられて発光体（２０）の発光が偏光板を透して筒状体（２８）内に入光しており、前記液体（Ｗ）に人畜無害で光反射性を有する反射体を混入していることを特徴とする容器の改良。
【請求項４】
液体（Ｗ）を収容する缶状の容器（４Ｊ）の改良において、缶容器（４４）の上部に着脱自在に蓋状体（５０）が設けられ、その蓋状体（５０）は下部に缶容器（４４）の上部外径に嵌着する内径を備えた第１の穴部（５２ａ）と、その第１の穴部（５２ａ）の端部に連結し第１の穴部（５２ａ）より小径の第２の穴部（５２ｂ）と、その第２の穴部（５２ｂ）の端部に透光性材料で形成された平板部（６１）を介して透光的に連結し第２の穴部（５２ｂ）より小径の第３の穴部（５６）とを設けて形成され、前記第３の穴部（５６）には発光体（２０）が取付けられてその発光が平板部（６１）を透して第２、第１の穴部（５２ｂ、５２ａ）に入光し、前記第１の穴部（５２ａ）には表面（５８ａ）に任意の像を蛍光性塗料で塗布された平板（５８）が取付けられ、前記第２の穴部（５２ｂ）と第１の穴部（５２ａ）を外側から貫通し、さらに平板（５８）を貫通して缶容器（４４）の内部に達するストロー（Ｓ）が取付けられていることを特徴とする容器の改良。
【発明の詳細な説明】
【技術分野】
【０００１】
本発明は、ジュース等の液体を収容する容体部とその蓋部とで構成される瓶状の容器の改良及び液体を収容する缶状の容器の改良に関する。
【背景技術】
【０００２】
従来、ジュースなどの液体飲料を収容するペットボトル等の容器は収容物である飲料等を収容するだけの目的で使用されていて、ほとんどはその収容物が消費されるとともに廃棄されていた。
また、上記の容器は暗いコンサートホールや野外の暗闇では、飲料の残分の確認が出来ない不便があった。また、認識しない残分を有するボトルを放置する場合に残分が周囲に放散して着衣を汚す、あるいは床や地面を汚すという不具合があった。
【０００３】
容器に関する従来の技術としてはスウィング・ストッパの取付けおよび取外しを容易に行う密閉容器が開示されている（例えば、特許文献１参照）。
また、開けたキャップの保持場所が確保されたキャップ付き飲料容器が開示されている（例えば、特許文献２参照）。
その他、樽詰め飲料の検査方法及び装置の技術が開示されている（例えば、特許文献３参照）。
【先行技術文献】
【特許文献】
【０００４】
【特許文献１】特開平１０−２４５０５８号公報
【特許文献２】特開２００１−９７３８９号公報
【特許文献３】特開２０００−１６８７４９号公報
【発明の概要】
【発明が解決しようとする課題】
【０００５】
本発明は上述した従来技術の問題点に鑑みて提案されたものであり、暗い所でも内容物を認識できかつ趣のある反射光を発生させるための発光体を有する容器用キャップ（蓋部）の提供を第１の目的とし、容器に発光体を取付けて趣のある反射光を発生させる容器の提供を第２の目的とし、容器の底部から趣のある反射光を発生させる台皿部（ボトルホールダ）の提供を第３の目的とし、缶状容器の上部から趣のある反射光を発光させるためのキャップ（蓋部）の提供を第４の目的としている。
【課題を解決するための手段】
【０００６】
発明者は種々研究の結果、キャップ其の他に色のある光を小消費電気量で発生できる発光ダイオード（ＬＥＤ）を取付けることにより、ジュース等の液体の残量を認識できる趣のある反射光を発生できることがわかった。本発明はかかる知見により創作されたものである。
【０００７】
本発明によれば、液体Ｗを収容する透光性材料で形成された容体部４Ａとその蓋部とで構成される瓶状の容器３Ｅの改良において、前記蓋部１０Ｅの開放側に容体部４Ａと螺合または嵌合する第1の穴部１１ａが設けられ、第1の穴部１１ａの反開放側端部に第1の穴部１１ａより小径の第２の穴部１１ｂが蓋部１０Ｅの閉塞側に向かって形成され、第２の穴部１１ｂに発光体２０が取付けられ、第２の穴部１１ｂの開放側端部に透光性材料で形成された平板部１１ｅが取付けられ、その平板部１１ｅを透して容体部４Ａに入光されており、前記容体部４Ａの筒部４Ａａの適宜の個所に光反射機能を有するシールＭ１、Ｍ２が貼着され、容体部４Ａの底部下方に椀状の皿部２５が着脱自在に設けられ、皿部２５の底面に光反射機能を有する部位２６が設けられている。
【０００８】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
皿部の底面に光反射機能を有する部位とは鏡面や蛍光面を言う。
【０００９】
また、本発明によれば、液体Ｗを収容する透光性材料で形成された容体部４Ａとその蓋部とで構成される瓶状の容器３Ｆの改良において、前記蓋部１０Ｆは容体部４Ａの上部に螺合または嵌合され、蓋部１０Ｆの頂部１１Ｆに光ファイバーが挿入されたストローＳｆが着脱自在に取付けられており、透光性材料で形成された容体部４Ａの底部に容体部４Ａよりも透光性の大きな透光性材料で形成された第１の平板部３１が設けられ、前記容体部４Ａの下方に椀状の皿部２５Ａが着脱自在に設けられ、皿部２５Ａの底部に第１の平板部３１に対応する位置に凹部２７が形成され、凹部２７の上部に第１の平板部３１と同等の透光性を有する第２の平板部２８が設けられ、凹部２７の内部に発光体２０が取付けられ第２、第１の平板部２８，３１を透して容体部４Ａ内に入光している。
【００１０】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
【００１１】
本発明の容器の改良によれば、液体Ｗを収容する透光性材料で形成された容体部４Ｂとその蓋部１とで構成される瓶状の容器の改良において、前記蓋部１は透光性材料で形成されて容体部４Ｂの上部に螺着されており、そして容体部４Ｂに透光性材料で形成された筒状体２８が取付けられ、筒状体２８の端部２８ｅには軸直角方向に端部が封じられた筒部３１が取付けられ、筒部３１の内部３２に発光体２０が取付けられ、筒部３１の筒状体２８側に偏光性を有する偏光板３４が取付けられて発光体２０の発光が偏光板を透して筒状体２８内に入光しており、前記液体Ｗに人畜無害で光反射性を有する反射体Ｒｗを混入している。
【００１２】
実施に際しては発光体は任意の発光色を選択できかつ小容量電池の使用が可能な発光ダイオード（ＬＥＤ）が好ましい。しかし、電源の不要な蛍石や、蛍光材を使用してもよい。
【００１３】
本発明によれば、液体Ｗを収容する缶状の容器の改良において、缶容器４４の上部に着脱自在に蓋状体５０が設けられ、その蓋状体５０は下部に缶容器４４の上部外径に嵌着する内径を備えた第１の穴部５２ａと、その第１の穴部５２ａの端部に連結し第１の穴部５２ａより小径の第２の穴部５２ｂと、その第２の穴部５２ｂの端部に透光性材料で形成された平板部６１を介して透光的に連結し第２の穴部５２ｂより小径の第３の穴部５６とを設けて形成され、前記第３の穴部５６には発光体２０が取付けられてその発光が平板部６１を透して第２、第１の穴部５２ｂ、５２ａに入光し、前記第１の穴部５２ａには表面に任意の像を蛍光性塗料で塗布された平板５８が取付けられ、前記第２の穴部５２ｂと第１の穴部５２ａを外側から貫通し、さらに平板５８を貫通して缶容器４４の内部に達するストローＳが取付けられている。
【００１４】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
任意の像を蛍光性塗料で塗布された平板とは例えばキャラクターマークや自己の名前等を書いたものを言う。
【発明の効果】
【００１５】
以上説明した本発明の効果を列記する。
（１）  蓋部に発光体を取付けているので、発光体による光が瓶の容器内に放射されジュース等の液面に反射して残量が暗部でも容易に認識できる利点がある。
（２）  発光体にＬＥＤを使用すれば、例えばボタン電池等の使用が可能で任意の色を選定できて趣のある反射光を容器外に発光できる利点がある。また、ＬＥＤとボタン電池の使用によって小スペースに取付け可能でかつコストが少ない利点がある。
（３）  発光体に蛍光石、蛍光剤等を使用すれば、電源を使用する必要のない利点がある。
（４）  平板部をレンズにして光を収束あるいは拡散させれば、反射光の方向を自由にでき、さらに着色レンズにすれば、ＬＥＤの発光色と合成できて、自在な色の反射光を得ることができる利点がある。
【００１６】
（５）  本発明の蓋部は、容器の内容物が空になったら別の容器に再利用が可能な利点がある。
（６）  容器の内容物が空になったら水を入れれば、アクセサリーとして利用できる利点がある。
【００１７】
（７）  蓋部にストローを着脱自在に取付ければ、飲料等の吸引につれて反射光の方向等が変化して趣がある利点がある。
（８）  蓋部に光ファイバー入りのストローを取付ければ、ストローの上部から反射光が放散されてストローに趣を添え、かつ暗闇でもストローの所在が容易に認識できる利点がある。
（９）  容器に光反射機能を有するシールを貼着させれば、液面の変化に加えて反射のバラエティーが増える利点がある。
【００１８】
（１０）  容器の下方に椀状の皿部を設け、皿部の底面に光反射機能を有するキャラクター画面や個人名等をつければ、固有のアクセサリーとなる利点があり、かつ、誤って他人のジュース等を飲んでしまうという失敗を防止できる。
（１１）  容器の下方に椀状の皿部を設け、皿部に発光体を取付ければ、容器の下方からの発光が入光されて変わった趣がある利点がある。
【００１９】
（１２）  容器に収容する液体に光反射性を有する無害の反射体例えば金粉等を混入させ、かつ容器の軸直角方向（横方向）に透光性材料で形成された横方向の筒部を取付け、この中に発光体からの光を放射させれば、筒状体の方向に光が進行するとも液体内の反射体に反射してランダムな方向の光がでて趣をだす利点がある。
【００２０】
（１３）  缶状の容器の上部に透光性材料で形成された蓋状体を着脱自在に設け、蓋状体の上部の発光体から下方に取付けた蛍光性塗料で塗布された平板に発光させれば、不透光性材料による缶状容器でも蓋状体を通して反射光が容器外方に放光される利点がある。
【図面の簡単な説明】
【００２１】
【図１】本発明の第１実施形態を示す全体構成の断面と作用を示す図である。
【図２】第２実施形態を示す全体構成の断面と作用を示す図である。
【図３】第３実施形態を示す全体構成の断面と作用を示す図である。
【図４】第４実施形態を示す全体構成の断面図である。
【発明を実施するための形態】
【００２２】
以下、添付図面を参照して本発明の実施形態を説明する。
図１は本発明の瓶状の容器の改良の第１実施形態を示す全体構成の断面と作用を示す図である。
ジュース等の飲料の液体Ｗが収容された透光性材料で形成された瓶状の容体部４Ａの上部に蓋部１０Ｅがねじ止めで締結固定されて容器３Ｅが構成されている。締結はねじでなく嵌め合いであってもよい。
【００２３】
蓋部１０Ｅの開放側に容体部４Ａと螺合する内ねじを有する第1の穴部１１ａが設けられ、第1の穴部１１ａの反開放側端部に第1の穴部１１ａより小径の第２の穴部１１ｂが蓋部１０Ｅの閉塞側に向かって形成されている。
【００２４】
第２の穴部１１ｂの底部の通常の蓋の天部にあたる部位に透光性材料で形成された平板部１１ｅが設けられている。平板部１１ｅは光が収束するレンズでも発散するレンズであってもよく、容器４Ａの色あるいは液体の色等に調和するものが好ましい。
第２の穴部１１ｂに穴心近傍でかつ上下方向の中央部近傍に発光体２０が取付けられている。
【００２５】
発光体２０は発光ダイオードがよく、図においては詳記していないが、２本の導線が内孔１１ｂの壁面に固着されたボタン電池に連結されている。発光ダイオードの発色は任意であるが、容器４Ａ、平板部１１ｅ、後記するシールＭ１、Ｍ２等に調和するものが好ましい。
なお、発光ダイオードにかえて発光性は劣るが電源不要の蛍石や蛍光部材を使用してもよい。
【００２６】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００２７】
容体部４Ａの筒部４Ａａの適宜の個所に光反射機能を有する複数のシールＭ１、Ｍ２・・が貼着されている。シールＭ１、Ｍ２、・・・は任意の色で任意の形状でよい。
【００２８】
容体部４Ａの底部下方に椀状の皿部２５が着脱自在に設けられ、皿部２５の底面に光反射機能を有する鏡面や蛍光面の部位２６が設けられ、部位２６が底面全面であっても１部域の例えばキャラクター画面や自己の名前等を記入した面でもよい。
【００２９】
上記構成の瓶状の容器３Ｅの作用を、図１を参照して説明する。
ジュース等の液体Ｗが液面レベルＬまで収納された容体部４Ａに、蓋部１０Ｅの穴部１１ａに取付けられた発光体２０が発光して平板部１１ｅを透光して容体部４Ａ内に入光する。
【００３０】
容体部４Ａ内に入光した光は矢印のように液面Ｌに反射して液体の残量を認識させ、シールＭ１、Ｍ２、・・・にあたって模様を浮かびあがらせる。また、皿部２５の底面にあたって全面あるいは特定の部位２６のキャラクター画面や個人名等を反射させる。
アクセサリーとしての利用等の作用については、前記実施形態と実質的に同様である。
【００３１】
図２は本発明の瓶状の容器の改良の第２実施形態を示す全体構成の断面と作用を示す図である。
ジュース等の飲料の液体Ｗが収容された透光性材料で形成された瓶状の容体部４Ａの上部に蓋部１０Ｆがねじ止めで締結固定されて容器３Ｆが構成されている。締結はねじでなく嵌め合いであってもよい。
【００３２】
蓋部１０Ｆの頂部１１Ｆに光ファイバーが挿入されたストローＳｆが着脱自在に取付けられ、透光性材料で形成された容体部４Ａの底部に容体部４Ａよりも透光性の大きな透光性材料で形成された第１の平板部３１が設けられている。
【００３３】
容体部４Ａの下方に椀状の皿部２５Ａが着脱自在に設けられ、皿部２５Ａの底部に第１の平板部３１に対応する位置に凹部２７が形成されている。
【００３４】
凹部２７の上部に第１の平板部３１と同等の透光性を有する第２の平板部２８が設けられている。
第１、第２の平板部３１，２８は光が収束するレンズでも発散するレンズであってもよく、容器４Ａの色あるいは液体の色等に調和するものが好ましい。
【００３５】
凹部２７の内部に穴心近傍でかつ上下方向の中央部近傍に発光体２０が取付けられている。
【００３６】
発光体２０は発光ダイオードがよく、図においては詳記していないが、２本の導線が凹部２７の内壁面に固着されたボタン電池に連結されている。発光ダイオードの発色は任意であるが、容器４Ａ、第１、第２の平板部３１、２８等に調和するものが好ましい。
なお、発光ダイオードにかえて発光性は劣るが電源不要の蛍石や蛍光部材を使用してもよい。
【００３７】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００３８】
上記構成の瓶状の容器３Ｆの作用を、図２を参照して説明する。
ジュース等の液体Ｗが液面レベルＬまで収納された容体部４Ａに、皿部２５Ａの凹部２７に取付けられた発光体２０が発光して第２、第１の平板部２８、３１を透光して容体部４Ａ内に入光する。
【００３９】
容体部４Ａ内に入光した光は矢印のように液面Ｌに反射して液体の残量を認識させ、容体部４Ａの内壁を透光あるいは反射して減光し様々な態様で外部に発散する。
また、１部は光ファイバーが挿入されたストローＳｆを通って外部に放光する。
アクセサリーとしての利用等の作用については、前記各実施形態と実質的に同様である。
【００４０】
図３は本発明の瓶状の容器の改良の第３実施形態を示す全体構成の断面と作用を示す図である。
ジュース等の飲料の液体Ｗが収容された透光性材料で形成された瓶状の容体部４Ｂの上部に透光性材料で形成された蓋部１がねじ止めで締結固定されて容器３Ｇが構成されている。
【００４１】
液体Ｗに例えば金箔などの人畜無害な反射物Ｒｗが混入されている。
透光性材料で任意に着色されて形成された筒状体２８が容体部４Ｂの軸心に対して直角方向に取付けられている。
筒状体２８の端部２８ｅに端部が封じられた筒部３１がほぼ同心に取付けられていて、筒部３１の筒状体２８側の端部に偏光性を有する偏光板３４が取付けられている。
【００４２】
筒部３１の内部３２に穴心近傍でかつ左右方向の中央部近傍に発光体２０が取付けられている。
【００４３】
発光体２０は発光ダイオードがよく、図においては詳記していないが、２本の導線が内部３２の壁面に固着されたボタン電池に連結されている。発光ダイオードの発色は任意であるが、容器３Ｇ、偏光板３４等に調和するものが好ましい。
なお、発光ダイオードにかえて発光性は劣るが電源不要の蛍石や蛍光部材を使用してもよい。
【００４４】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００４５】
上記構成の瓶状の容器３Ｇの作用を、図３を参照して説明する。
金箔など反射物Ｒｗが混入されたジュース等の液体Ｗが液面レベルＬまで収納された容体部４Ｂに、筒部３１の内部３２に取付けられた発光体２０が発光して偏光板３４を透光して筒状体２８内に入光する。
【００４６】
筒状体２８内に入光された光の１部は筒状体２８を直進して容体部４Ｂから外部に放光され、他の光は筒状体２８の壁面と液体Ｗを通って液面Ｌに反射して外部に放光して液体の残量を認識させる。また、液体Ｗに混入された金泊などの反射物Ｒｗに反射して燦光を外部に放光する。
【００４７】
筒状体２８内に入光された光の１部はまた、透光性材料で形成された蓋部１を透光して外部に放光される。
このようにして、各経路を経た光は各種の反射光となって外部に散光される。
アクセサリーへの利用等の作用については、前記各実施形態と実質的に同様である。
【００４８】
図４は本発明の缶状の容器の改良の第４実施形態を示す全体構成の断面図である。
ジュース等の飲料の液体が収容された例えば鉄、アルミ、紙等の不透光性材料で形成された缶容器４４の上部に蓋状部５０が着脱自在に嵌合されて容器４Ｊが構成されている。
【００４９】
蓋状体５０は下部に缶容器４４の上部外径に嵌着する内径を備えた第１の穴部５２ａと、と、第２の穴部５２ｂと第３の穴部５６とを設けて透光性材で形成されている。
第１の穴部５２ａの端部に連結する第２の穴部５２ｂは第１の穴部５２ａはより小径であり、第２の穴部５２ｂの端部に透光性材料で形成された平板部６１を介して透光的に連結する第３の穴部５６は第２の穴部５２ｂより小径に形成されている。
【００５０】
第３の穴部５６に穴心近傍でかつ中央部近傍の高さに発光体２０が取付けられている。
【００５１】
発光体２０は発光ダイオードがよく、図においては詳記していないが、２本の導線が穴
部５６の壁面に固着されたボタン電池に連結されている。発光ダイオードの発色は任意であるが、後記する平板部６１、平板５８、缶色等に調和するものが好ましい。
なお、発光ダイオードにかえて発光性は劣るが電源不要の蛍石や蛍光部材を使用してもよい。
【００５２】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００５３】
平板部６１は光が収束するレンズでも発散するレンズであってもよく、また着色されたものでもよい。
平板５８は例えばキャラクター画像等の任意の像５８ａを反射、発光する蛍光性塗料で塗布されている。
蓋状体５０の第２の穴部５２ｂと第１の穴部５２ａを外側から貫通してさらに平板５８を貫通して缶容器４４の内部に達するストローＳが取付けられている。
【００５４】
上記構成の瓶状の容器４Ｊの作用を、図４を参照して説明する。
蓋状体５０の第３の穴部５６に取付けられた発光体２０が発光して平板部６１を透光して第２の穴部５２ｂ、第１の穴部５２ａに入光する。
【００５５】
第２の穴部５２ｂ、第１の穴部５２ａに入光された発光体２０の光は平板５８に反射してキャラクター像等の任意の像５８ａを反射して、蓋状体５０から外部に放光し、暗闇での缶容器４４とストローＳの所在を認識させる。
【００５６】
このようにして、発光、反射機能を有する蓋状体５０を缶容器４４に取付ければ、缶容器４４とストローＳの所在が暗闇でも容易に認識できる。
アクセサリーへの利用、再利用等については、前記各実施形態と実質的に同様である。
【符号の説明】
【００５７】
Ｗ・・・液体、ジュース
３Ｅ、３Ｆ、３Ｇ・・・容器
４Ａ、４Ｂ・・・容体部
１０Ｅ、１０Ｆ・・・蓋部、キャップ
１１ｅ、２８、３１、３４，６１・・・平板部
２０・・・発光体
２５、２５Ａ・・・皿部
５０・・・蓋状体
５８・・・平板
Ｓ・・・ストロー
【図１】
2011051658.tif 000003
【図２】
2011051658.tif 000004
【図３】
2011051658.tif 000005
【図４】
2011051658.tif 000006